(57)【要約】      （修正有）【課題】紡績業インテリジェント輸送管理システムを提供する。【解決手段】織布設備１と、インテリジェント無人運搬装置２と、位置決めレール３と、サーバーホスト４と、末端設備５と、から構成され、織布設備に、一つの織布検知装置１１及び検知装置と相応に接続する織布通信システム１２が配備される。織布検知装置が検知する実時間の状態情報が織布通信システムを経由してサーバーホストに伝送され、クラウド端末運算統合システム４１を経由して、織布機の実時間の状態が計算された後、信号が、輸送作業通信システムに発送され、位置決めレールを沿って織布設備の前に移動して、作業プログラムを起動し、織布設備上で織りを完成した布を、インテリジェント無人運搬装置に置き、且つ、位置決めレールに沿って移動し、末端設備において実時間の状態情報と分析データにアクセスしてこれを表示する。【選択図】図１
0003231695.tif 000002
【実用新案登録請求の範囲】
【請求項１】
下記の構造、即ち、
一つの織布検知装置及び当該検知装置を相応に接続する織布通信システムが配備されている織布設備と、
一つの自動化布置きブラケット、少なくとも一つの位置決め検知装置、一つの障害検知装置、及び前記位置決め検知装置と前記障害検知装置を相応に接続する一つの輸送作業通信システムが取り付けられている一つのインテリジェント無人運搬装置と、
前記無人運搬装置が、相応な位置決め検知装置を通じて、一つの位置決めレールにおいて運行できるようにする位置決めレールと、
一つのサーバーホスト（一つのクラウド運算統合システムが取り付けられ、前記織布作業通信システム及び前記輸送作業通信システムに連結することによって、前記織布検知装置が検知する実時間の状態情報を、前記織布作業通信システムを経由して、前記サーバーホストに伝送してから、前記クラウド端末運算統合システムを経由して、前記織布機の実時間の状態を計算した後、信号を前記輸送作業通信システムに発送することによって、前記インテリジェント無人運搬装置が、前記位置決めレールを沿って前記織布設備の前に移動した後、前記感応装置を通じて作業プログラムを起動し、前記織布設備上で織りを完成した布を、前記自動化布置きブラケットに置き、それに加えて、前記インテリジェント無人運搬装置が、前記位置決めレールを沿って移動し、それに加えて、布を、一つの検証設備に放置するようにする）と、
少なくとも一つの末端設備（前記クラウド運算統合システムに連結して、前記織布通信システム及び前記輸送作業通信システムの実時間の状態情報と分析データにアクセスしてこれを表示できる）と、を含むことを特徴とする紡績業インテリジェント輸送管理システム。
【請求項２】
前記インテリジェント無人運搬装置に、一つの室内位置決め装置が配備されていることにより、前記インテリジェント無人運搬装置が、プログラムの設定を通じて一つの路線で運行できることを特徴とする請求項1に記載の紡績業インテリジェント輸送管理システム。
【請求項３】
前記インテリジェント無人運搬装置に、一つのGPS位置決め装置が配備されていることにより、前記インテリジェント無人運搬装置がグローバル衛星位置決めシステムを通じて、前記クラウド運算統合システムを経由して、一つの路線で運行できることを特徴とする請求項1に記載の紡績業インテリジェント輸送管理システム。
【請求項４】
前記インテリジェント無人運搬装置が一つの自動ガイド車両AGV(AUTOMATIC GUIDED VEHICLE)であることを特徴とする請求項1に記載の紡績業インテリジェント輸送管理システム。
【請求項５】
前記末端設備が、モニター、デスクトップコンピューター、駆動装置とタブレットの何れかの一つ又はこれらの組み合わせであることを特徴とする請求項1に記載の紡績業インテリジェント輸送管理システム。
【請求項６】
前記位置決め検知装置が電磁リード線式検知装置、光学式誘導検知装置、帯鋼式誘導検知装置、電磁感応式検知装置、赤外線検知装置、視覚検知装置、超音波検知装置又はレーザー検知装置の何れかの一つ又はこれらの組み合わせであることを特徴とする請求項1に記載の紡績業インテリジェント輸送管理システム。
【請求項７】
前記位置決めレールが磁性位置決めレール、電磁リード線式位置決めレール、反射ベルト式位置決めレール、フェロ塩塗装誘導式位置決めレール、レーザー誘導式位置決めレール又は光学識別誘導式位置決めレールの何れかの一つ又はこれらの組み合わせであることを特徴とする請求項1に記載の紡績業インテリジェント輸送管理システム。
【考案の詳細な説明】
【技術分野】
【０００１】
本考案は、紡績業インテリジェント輸送管理システムに関わり、 特に統合織布設備、インテリジェント無人運搬装置、位置決めレール、サーバーホスト又は末端設備を通じて、ストロークの自動的なスケジューリングと感応を行うことによって、自動化布材の輸送を行うことができる紡績業インテリジェント輸送管理システムに関わる。
【背景技術】
【０００２】
情報通信技術の高速発展及びインテリジェント工場の将来動向に伴い、モノのインターネット及びインテリジェント統合感応制御システムを通じて、高度自動化の生産方式を創ることは、現在の工業大工場が積極に構築する将来工場の様相になった。現在、工業自動化は、各メーカが開発している主力重点である。工業自動化というのは、工場内部における複数台の設備を、情報通信技術経由で、自動化フローに基づいてこれらを連合システムに組合せ、各種の検知、制御と作動設備を利用して、協調、輸送、生産及び検査分析を行うプログラムのお陰で、製品製造フローを、完全にユーザー要求の通りに自動的に実現し、これで、人為的な操作のコストと誤り率を大幅に削減することができる。
【０００３】
但し、製品の運送が、工場内において、大量な労働力を良く使用する余計な消耗であるので、製品の生産と検査を運送と結びづいて、一貫したフロー作業を行うと、きっと大量な人件費を節約し、生産効率を向上し、且つ、資源を有効に割り付けると同時に生産能力の無駄を避けることができるだろう。アマゾン(AMAZON)とアリババ（Alibaba）等の電子商取引のトップ企業は、皆インテリジェント運搬システムを高速発展重点と見なす。使用中の無人運搬車は、現在多くの業者による内部輸送作業の為の重要なシステムである。業務効率化と大量な人件費の削減の為に、倉庫保管物流システム内部に無人運搬車を導入することによって、倉庫保管管理の更なる自動化とシステム化を実現する。
【０００４】
現在、紡績業における殆どのメーカは、相変わらず昔の人力運搬又は機械的運搬フローを採用して、大量な人的資源を使用して低効率な運搬作業プロセスを行っているので、多くの労働力と時間コストの無駄になり、自動化運搬システムを導入しても、殆ど倉庫保管内部固定ルートで運行を行っているので、製品の陳列と撤去に依然として大量な労働力が掛かり、工場内のその他の設備との直接的な連動がなく、システム化して知能化した生産輸送フローを形成できない。その上、紡績業に自動化生産を導入した後、しばしばフロー中断又は輸送停滞が発生し、人的資源の無駄と損耗が生じるので、生産スケジュール遅延又は生産能力下降の状況に繋がる。従って、どのように資源の運用を向上させ、且つ、運搬フローを有効に自動化することによって、人的資源の無駄の削減と作業フロー効率の向上を実現することは、紡績業における各メーカが、非常に重視し、且つ、早急に解決すべき課題になった。
【０００５】
そこで、どのように各種の織布自動化設備に、検知装置を取り付け、且つ、通信システム、無人運搬装置、サーバー及び末端設備の統合を通じて、工場内部運搬効率を向上させ、且つ、人件費損耗を減少することによって、生産効率を大幅に改善できる紡績業インテリジェント輸送管理システムを形成することは、本実用新案の考案者が、早急に解決したい重要な課題になった。
【考案の概要】
【考案が解決しようとする課題】
【０００６】
それゆえに、本考案者は、注意深い研鑽・考案一本の実作精神を持ち、以上の技術問題に基づき、研究開発に着手し、且つ、長年の考案専門経験及び実作会得を元にして、心を尽くして研究開発し、絶えず古くさいものを退けて新しいものを生み出し、更に本考案を提出することによって、本考案の製造プロセスの利点を向上させ、それに加えて、既知の欠点を改善する。
【０００７】
本考案の主な目的として、統合織布設備、インテリジェント無人運搬装置、位置決めレール、サーバーホスト及び末端設備の一種を提供することによって、情報統合、インテリジェント運搬、人的資源損耗低減及び生産効能向上の機能を果たすことができる紡績業インテリジェント輸送管理システムを作り上げることである。
【０００８】
本考案のその他の目的として、主にクラウド端末運算統合システムと結びづき、紡績業における工場内部製品倉庫保管及び運搬フローを、サーバーホスト結合型クラウド端末運算システムに統合することによって、倉庫保管フローの最適化を向上させ、生産と運搬効能を向上させ、且つ、人的資源の無駄を低減する紡績業インテリジェント輸送管理システムを作り上げることである。
【０００９】
本考案の更なる目的として、輸送情報通信統合フロー設計経由で、紡績業における工場全体生産及び運搬フロー構造が、実時間性、迅速性と有効管理を持つようにすると同時に、紡績工場の作業フローの統合の効能を達成することによって、運搬フローの誤りと損耗を大幅に低減し、生産能力を向上させ、且つ、産業競争力を有効に強化する方法を提供することである。
【課題を解決するための手段】
【００１０】
前記目的を達成する為に、本考案の紡績業インテリジェント輸送管理システムは、下記の仕組みで作動する。即ち、当該システムは、主に織布設備と、インテリジェント無人運搬装置と、位置決めレールと、サーバーホストと、少なくとも一つの末端設備と、を含み、前記織布設備に、一つの織布検知装置及び前記検知装置と相応に接続する織布通信システムが配備されているので、前記織布検知装置が検知する実時間の状態情報が前記織布作業通信システム経由で前記サーバーホストに伝送され、それに加えて、前記サーバーホストのクラウド端末運算統合システム経由で前記織布機の実時間の状態が計算され後、信号が、前記輸送作業通信システムに発送されることによって、前記インテリジェント無人運搬装置が起動される。前記位置決めレールを沿って前記織布設備の前に移動した後、前記感応装置を通じてインテリジェント輸送作業プログラムを行って、前記織布設備上で織りを完成した布を、前記インテリジェント無人運搬装置の自動化布置きブラケットに置き、且つ、前記インテリジェント無人運搬装置が、前記位置決めレールを沿って移動し、それに加えて、布を、一つの検証設備に放置するようにし、これから、前記端末設備経由で前記サーバーホストにおける前記織布通信システム及び前記輸送作業通信システムの実時間の状態情報と分析データにアクセスしてこれを表示できる。
【００１１】
その中で、好ましいこととしては、前記インテリジェント無人運搬装置に、一つの室内位置決め装置が配備されていることにより、前記インテリジェント無人運搬装置が、プログラムの設定を通じて一つの路線で運行できることである。
【００１２】
その中で、好ましいこととしては、前記インテリジェント無人運搬装置に、一つのGPS位置決め装置が配備されていることにより、前記インテリジェント無人運搬装置が、グローバル衛星位置決めシステムを通じて、前記クラウド運算統合システムを経由して、一つの路線で運行できることである。
【００１３】
その中で、好ましいこととしては、前記インテリジェント無人運搬装置が一つの自動ガイド車両AGV(AUTOMATIC GUIDED VEHICLE)であることである。
【００１４】
その中で、好ましいこととしては、前記末端設備が、モニター、デスクトップコンピューター、作動装置とタブレットの何れかの一つ又はこれらの組み合わせであることである。
【００１５】
その中で、好ましいこととしては、前記位置決め検知装置が電磁リード線式検知装置、光学式誘導検知装置、帯鋼式誘導検知装置、電磁感応式検知装置、赤外線検知装置、視覚検知装置、超音波検知装置又はレーザー検知装置の何れかの一つ又はこれらの組み合わせであることである。
【００１６】
その中で、好ましいこととしては、前記位置決めレールが磁性位置決めレール、電磁リード線式位置決めレール、反射ベルト式位置決めレール、フェロ塩塗装誘導式位置決めレール、レーザー誘導式位置決めレール又は光学識別誘導式位置決めレールの何れかの一つ又はこれらの組み合わせであることである。
【考案の効果】
【００１７】
それゆえに、本考案経由で、紡績業インテリジェント輸送管理システムが倉庫保管フローを最適化し、生産と運搬効能を向上させ、人的資源の無駄を低減し、紡績工場の作業フローを統合し、且つ、運搬フローの誤りと損耗を低減し、それに加えて、産業競争力を有効に強化する利点を持つようにすることができる。これについて、下記の通り説明する。
(1)統合織布設備、インテリジェント無人運搬装置及びクラウド端末運算統合システムを経由して、生産と輸送情報を、クラウド端末運算統合システムに速く伝送することができる。もう一方で、クラウド端末運算統合生産と輸送フローを経由し、且つ、自動化運搬作業を行うことによって、倉庫保管フローを高度に最適化して、運搬待合時間を減少し、生産能力を向上させることができる。
(2)インテリジェント無人運搬装置と位置決めレールとの組み合わせを利用して、運搬プロセスを実施して、生産情報と輸送通信を有効に連結することによって、織布設備とインテリジェント無人運搬装置が有効に連動し、且つ、紡績工場の作業フローを統合し、これで、待合時間を低減して、高効率インテリジェント自動化学工場の素晴らしい特徴を達成する。
(3)インテリジェント無人運搬装置と位置決めレールとの組み合わせを利用して、紡績業工場区において運搬プロセスを実施することによって、人的資源の無駄を大幅に低減し、且つ、体力指向からインテリジェント指向に変換すると同時に、運搬フローの誤りと損耗を低減し、それに加えて、産業競争力を高度に向上させることができる。
【図面の簡単な説明】
【００１８】
【図１】本考案における紡績業インテリジェント輸送管理システムフローの模式図を示す。
【図２】本考案における紡績業インテリジェント輸送管理システムのシステム状態の模式図を示す。
【図３】本考案における紡績業インテリジェント輸送管理システムのシステム状態の局所拡大模式図を示す。
【考案を実施するための形態】
【００１９】
本考案の目的、技術案及び利点を、一層明らかで明確にする為に、 具体的な実施形態と結びづいて、本考案を一層詳細に説明するが、 前記考案内容の範囲は、下記の実施形態に限らない。考案前記技術思想から離れない状況の下で、本分野における普通の技術知識と慣用の手法に基づいて実施された各種の置換と変更は、皆本考案の範囲内に含まれる。
【００２０】
本考案の技術手法について、 一つの好ましい実施形態を挙げて、図式と結びづいて、次の文で詳細に説明することによって、 上級部部門が本考案を了解して認める為の資料とする。
【００２１】
本考案は、「紡績業インテリジェント輸送管理システム」の一種である。図1〜図3で示されているものは、本考案における紡績業インテリジェント輸送管理システムフローの模式図、システム状態模式図及びシステム状態の局部拡大模式図である。本考案における紡績業インテリジェント輸送管理システムは、一つの織布設備(1)、一つのインテリジェント無人運搬装置(2)、位置決めレール(3)、一つのサーバーホスト(4)及び少なくとも一つの末端設備(5)を含む。その中で、前記織布設備(1)に、一つの織布検知装置(11)及び前記検知装置と相応に接続する織布通信システム(12)が配備されていることによって、前記織布設備(1)上の実時間の状態情報を感知する。前記インテリジェント無人運搬装置(2)に、一つの自動化布置きブラケット(21)、少なくとも一つの位置決め検知装置(22)、一つの障害検知装置(23)、前記位置決め検知装置(22)と前記障害検知装置(23)を相応に接続する一つの輸送作業通信システム(24) 。前記位置決めレール(3)が地面に配備されていることによって、前記インテリジェント無人運搬装置(2)が、相応な位置決め検知装置(22)を経由して、前記位置決めレール(3)において運行できるようにする。前記サーバーホスト(4)は、一つのクラウド運算統合システム(41)が取り付けられ、前記織布作業通信システム及び前記輸送作業通信システム(24)に連結することによって、前記織布検知装置(11) が検知する実時間の状態情報が前記織布通信システム(12)を経由して前記サーバーホスト(4)に伝送され、それに加えて、前記クラウド端末運算統合システム(41)経由で 前記織布設備(1)の実時間の状態が計算され後、信号が、前記輸送作業通信システム(24)に発送されることによって、前記インテリジェント無人運搬装置(2)が、前記位置決めレール(3)を沿って前記織布設備 (1)の前に移動した後、前記感応装置(11)を通じて作業プログラムを起動し、前記織布設備(1)上で織りを完成した布を、前記自動化布置きブラケット(21)に置き、それに加えて、前記インテリジェント無人運搬装置(2)が、前記位置決めレール(3)を沿って移動し、それに加えて、布を、一つの検証設備に放置するようにする（図で示されていない）。前記末端設備(5)は、前記クラウド端末運算統合システム(41)に連結し、前記織布通信システム(12)及び前記輸送作業通信システム(24)の実時間の状態情報と分析データにアクセスしてこれを表示できる。
【００２２】
前記織布設備(1)は、織布プロセスを行う時に、前記織布設備(1)に配備されている織布検知装置(11)は、前記織布設備(1)上の作業進捗度を起動して検知し、且つ、前記検知装置の織布通信システム(12)と相応に接続する。織布設備(1)作業が完成段階に近づく時に、信号が、前記織布通信システム(12)を経由して前記サーバーホスト(4)内部に伝送され、それに加えて、前記クラウド端末運算統合システム(41)経由で計算された後、信号が、前記輸送作業通信システム(24)に発送されることによって、前記インテリジェント無人運搬装置(2)が、前記位置決めレール(3)を沿って前記織布設備(1)の前に移動した後、前記感応装置を通じて撤去作業プログラムを起動し、前記織布設備(1)上で織りを完成した布を、前記自動化布置きブラケット(21)に置き、それに加えて、信号が、前記サーバーホスト(4)内部に伝送され、それに加えて、前記クラウド端末運算統合システム(41)経由で計算された後、前記インテリジェント無人運搬装置(2)が、前記位置決めレール(3)を沿って移動し、それに加えて、布を、一つの検証設備に放置するようにし、これと同時に、前記末端設備(5)は、前記クラウド端末運算統合システム(41)に連結することによって、前記織布通信システム(12)及び前記輸送作業通信システム(24)の実時間の状態情報と分析データに随時に監視しアクセスしてこれを表示できるようにする。
【００２３】
以上の論述内容は、本考案の実施形態に関する説明だけであり、本考案の実施範囲を限定するものではない。本考案の精神と範囲から離れない状況の下で実施するすべての均等な構造変化と修飾は、皆本考案の実用新案登録の範囲内に含まれる。
【符号の説明】
【００２４】
織布設備 (1) 
レーザー検知装置 (11) 
織布通信システム (12) 
インテリジェント無人運搬装置 (2) 
自動化布置きブラケット (21) 
位置決め検知装置 (22) 
障害検知装置 (23) 
輸送作業通信システム (24) 
位置決めレール (3) 
サーバーホスト (4) 
クラウド端末運算統合システム  (41) 
末端設備 (5) 
【図１】
0003231695.tif 000003
【図２】
0003231695.tif 000004
【図３】
0003231695.tif 000005
【手続補正書】
【提出日】令和3年2月10日(2021.2.10)
【手続補正１】
【補正対象書類名】実用新案登録請求の範囲
【補正対象項目名】全文
【補正方法】変更
【補正の内容】
【実用新案登録請求の範囲】
【請求項１】
下記の構造、即ち、
一つの織布検知装置及び当該検知装置を相応に接続する織布通信システムが配備されている織布設備と、
一つの自動化布置きブラケット、少なくとも一つの位置決め検知装置、一つの障害検知装置、及び前記位置決め検知装置と前記障害検知装置を相応に接続する一つの輸送作業通信システムが取り付けられている一つのインテリジェント無人運搬装置と、
前記インテリジェント無人運搬装置が、相応な位置決め検知装置を通じて、一つの位置決めレールにおいて運行できるようにする位置決めレールと、
一つのサーバーホストであって、一つのクラウド端末運算統合システムが取り付けられ、前記織布通信システム及び前記輸送作業通信システムに連結することによって、前記織布検知装置が検知する実時間の状態情報を、前記織布通信システムを経由して、前記サーバーホストに伝送してから、前記クラウド端末運算統合システムを経由して、前記織布設備の実時間の状態を計算した後、信号を前記輸送作業通信システムに発送することによって、前記インテリジェント無人運搬装置が、前記位置決めレールを沿って前記織布設備の前に移動した後、前記位置決め検知装置を通じて作業プログラムを起動し、前記織布設備上で織りを完成した布を、前記自動化布置きブラケットに置き、それに加えて、前記インテリジェント無人運搬装置が、前記位置決めレールを沿って移動し、それに加えて、布を、一つの検証設備に放置するようにするサーバーホストと、
少なくとも一つの末端設備であって、前記クラウド運算統合システムに連結して、前記織布通信システム及び前記輸送作業通信システムの実時間の状態情報と分析データにアクセスしてこれを表示できる末端設備と、を含むことを特徴とする紡績業インテリジェント輸送管理システム。
【請求項２】
前記インテリジェント無人運搬装置に、一つの室内位置決め装置が配備されていることにより、前記インテリジェント無人運搬装置が、プログラムの設定を通じて一つの路線で運行できることを特徴とする請求項1に記載の紡績業インテリジェント輸送管理システム。
【請求項３】
前記インテリジェント無人運搬装置に、一つのGPS位置決め装置が配備されていることにより、前記インテリジェント無人運搬装置がグローバル衛星位置決めシステムを通じて、前記クラウド端末運算統合システムを経由して、一つの路線で運行できることを特徴とする請求項1に記載の紡績業インテリジェント輸送管理システム。
【請求項４】
前記インテリジェント無人運搬装置が一つの自動ガイド車両AGV(AUTOMATIC GUIDED VEHICLE)であることを特徴とする請求項1に記載の紡績業インテリジェント輸送管理システム。
【請求項５】
前記末端設備が、モニター、デスクトップコンピューター、駆動装置とタブレットの何れかの一つ又はこれらの組み合わせであることを特徴とする請求項1に記載の紡績業インテリジェント輸送管理システム。
【請求項６】
前記位置決め検知装置が電磁リード線式検知装置、光学式誘導検知装置、帯鋼式誘導検知装置、電磁感応式検知装置、赤外線検知装置、視覚検知装置、超音波検知装置又はレーザー検知装置の何れかの一つ又はこれらの組み合わせであることを特徴とする請求項1に記載の紡績業インテリジェント輸送管理システム。
【請求項７】
前記位置決めレールが磁性位置決めレール、電磁リード線式位置決めレール、反射ベルト式位置決めレール、フェロ塩塗装誘導式位置決めレール、レーザー誘導式位置決めレール又は光学識別誘導式位置決めレールの何れかの一つ又はこれらの組み合わせであることを特徴とする請求項1に記載の紡績業インテリジェント輸送管理システム。